(57)【要約】【課題】十分な輝度を確保しながらカラーシフトを有効に防止することができるＬＥＤパッケージ装置を提供する。【解決手段】赤色ＬＥＤ２Ｒ、青色ＬＥＤ２Ｂおよび緑色ＬＥＤ２Ｇを有するＬＥＤパッケージ装置であって、  赤色ＬＥＤ２Ｒ、青色ＬＥＤ２Ｂおよび緑色ＬＥＤ２Ｇは、それぞれＬＥＤの光照射方向に向かう実装面３Ａ、３Ｂ，３Ｃに実装され、  上記赤色ＬＥＤ２Ｒが光照射側から見て最も奥側に配置された第１の実装面３Ａに実装され、青色ＬＥＤ２Ｂが光照射側から見て最も手前側に配置された第２の実装面３Ｂに配置され、  緑色ＬＥＤ２Ｇは、第１の実装面３Ａと第２の実装面３Ｂの間に段階的に配置された第３の実装面３Ｃに実装されている。【選択図】図１
2012023188.tif 000002
【特許請求の範囲】
【請求項１】
異なる波長のＬＥＤを少なくとも３個以上有するＬＥＤパッケージ装置であって、
上記各ＬＥＤは、それぞれＬＥＤの光照射方向に向かう実装面に実装され、
上記各ＬＥＤのうち最も波長の長い光を発光する第１のＬＥＤが光照射側から見て最も奥側に配置された第１の実装面に実装され、最も波長の短い光を発光する第２のＬＥＤが光照射側から見て最も手前側に配置された第２の実装面に実装され、
その他のＬＥＤは、第１の実装面から第２の実装面に段階的に近づくように配置された実装面において、波長の長いものから短いものへ順次並ぶよう実装されていることを特徴とするＬＥＤパッケージ装置。
【請求項２】
上記第１の実装面から第２の実装面までの各実装面に実装されたＬＥＤのうち、光照射方向で隣り合うＬＥＤにおいて、光照射側からみて奥側の実装面に実装されたＬＥＤの頂部は、それより光照射側に配置されたＬＥＤの実装面を超えて手前側に突出しない請求項１記載のＬＥＤパッケージ装置。
【請求項３】
異なる波長のＬＥＤを少なくとも３個以上有するＬＥＤパッケージ装置であって、
上記各ＬＥＤのうち最も波長の長い光を発光する第１のＬＥＤが光照射側から見て最も奥側に実装され、最も波長の短い光を発光する第２のＬＥＤが光照射側から見て最も手前側に実装され、
その他のＬＥＤは、第１のＬＥＤから第２のＬＥＤに向かって、波長の長いものから短いものへ順次並ぶよう実装され、
各ＬＥＤが光照射側から見て相互に重ならないように配置されていることを特徴とするＬＥＤパッケージ装置。
【請求項４】
赤色ＬＥＤ、青色ＬＥＤおよび緑色ＬＥＤを有するＬＥＤパッケージ装置であって、
赤色ＬＥＤ、青色ＬＥＤおよび緑色ＬＥＤは、それぞれＬＥＤの光照射方向に向かう実装面に実装され、
上記赤色ＬＥＤが光照射側から見て最も奥側に配置された第１の実装面に実装され、青色ＬＥＤが光照射側から見て最も手前側に配置された第２の実装面に配置され、
緑色ＬＥＤは、第１の実装面と第２の実装面の間に段階的に配置された第３の実装面に実装されていることを特徴とするＬＥＤパッケージ装置。
【請求項５】
上記赤色ＬＥＤの頂部は、緑色ＬＥＤが実装された第３の実装面を超えて光照射側から見た手前側に突出せず、
上記緑色ＬＥＤの頂部は、青色ＬＥＤが実装された第２の実装面を超えて光照射側から見た手前側に突出しない請求項４記載のＬＥＤパッケージ装置。
【請求項６】
赤色ＬＥＤ、青色ＬＥＤおよび緑色ＬＥＤを有するＬＥＤパッケージ装置であって、
青色ＬＥＤおよび緑色ＬＥＤは、光照射側から見て同じ高さでＬＥＤの光照射方向に向かう実装面上に実装され、
赤色ＬＥＤは、上記実装面とは異なる領域において、その頂部が上記実装面を超えて光照射側から見て手前側に突出しない位置に配置されていることを特徴とするＬＥＤパッケージ装置。
【発明の詳細な説明】
【技術分野】
【０００１】
本発明は、ＬＥＤチップが搭載されて例えば液晶表示装置の光源等に使用可能なＬＥＤパッケージ装置に関するものである。
【背景技術】
【０００２】
ＬＥＤは、長寿命かつ小型で発光効率にも優れていることから、ディスプレイ、バックライト、照明等の各種用途への適用が広がっている。これらのなかでも、３色のＬＥＤチップを１つのパッケージに搭載したＬＥＤパッケージ装置は、電流の配分によってフルカラーが出せるものとしてカラーディスプレイに使用することができる。このようなＬＥＤパッケージ装置としては、例えば、下記の特許文献１〜３に係るものが開示されている。
【先行技術文献】
【特許文献】
【０００３】
【特許文献１】特開平１０−３１９８７１号公報
【特許文献２】特開２００８−０４１６９９号公報
【特許文献３】特許第４０３４２４１号公報
【発明の概要】
【発明が解決しようとする課題】
【０００４】
特許文献１には、赤色ＬＥＤ（２００Ｒ）、青色ＬＥＤ（２００Ｂ）、緑色ＬＥＤ（２００Ｇ）それぞれの発光素子部分が、同一平面上に並べて配置されたＬＥＤディスプレイ装置が開示されている（括弧内の符号は公報記載のものである）。
【０００５】
このようなＬＥＤディスプレイ装置では、各発光素子の光吸収特性の違いにより、印加電圧を等しくしても全体として出力される光に違いが生じることによるカラーシフトが起こってしまう。具体的には、例えば、青色ＬＥＤ（２００Ｂ）から発光された青色光や緑色ＬＥＤ（２００Ｇ）から発光された緑色光は、隣接する赤色ＬＥＤ（２００Ｒ）に吸収されてしまい、結果として全体の色彩が赤色にシフトするカラーシフトが生じる。
【０００６】
このようなカラーシフトが発生すると、カラーディスプレイ等に使用した際の色再現性に影響が出てしまい、極めて不都合である。
【０００７】
そこで、各発光素子毎に印加する電圧を制御することによりカラーシフトを改善することも考えられるが、各発光素子の輝度が異なることから、カラーディスプレイ等において各パッケージにおいて出力する光を所定の輝度や色合いに調整するには、制御が極めて複雑となる。
【０００８】
特許文献２では、発光素子同士の間に障壁（１０）を設けることが提案されている（括弧内の符号は公報記載のものである）。このようにすることにより、発光素子から発光した光が隣接する発光素子に直接吸収されることは防止されるものの、発光素子から発光させた光を障壁（１０）の表面で反射して照射させなければならない。
【０００９】
このため、障壁（１０）によって光の反射効率が低下し、輝度の低下が避けられない。極めて多数のＬＥＤパッケージを集積して使用しなければならないカラーディスプレイ等において、省電力面および画質面の双方から、輝度の低下は極力避けるべきであり、この点において十分に対策された製品にはなっていない。
【００１０】
特許文献３には、赤色発光（Ｒ）、緑色発光（Ｇ）、青色発光（Ｂ）の色の混合を均一にするために、各発光素子を開口部方向に斜めに配置した光源装置が提案されている。
【００１１】
しかしながら、特許文献３の装置では、光の照射側（開口部）から見て各発光素子が重なり合うため、開口部から見て奥に配置された発光素子から照射された光が、開口部側に配置された発光素子によって遮られることにより光の照射効率が低下し、輝度の低下が避けられない。したがって、上述した特許文献と同様に、輝度が低下することとなり、省電力面および画質面の双方から十分に対策された製品にはなっていないのが実情である。
【００１２】
本発明は、このような事情に鑑みなされたもので、十分な輝度を確保しながらカラーシフトを有効に防止することができるＬＥＤパッケージ装置の提供を目的とする。
【課題を解決するための手段】
【００１３】
上記目的を達成するため、本発明の第１のＬＥＤパッケージ装置は、異なる波長のＬＥＤを少なくとも３個以上有するＬＥＤパッケージ装置であって、
上記各ＬＥＤは、それぞれＬＥＤの光照射方向に向かう実装面に実装され、
上記各ＬＥＤのうち最も波長の長い光を発光する第１のＬＥＤが光照射側から見て最も奥側に配置された第１の実装面に実装され、最も波長の短い光を発光する第２のＬＥＤが光照射側から見て最も手前側に配置された第２の実装面に実装され、
その他のＬＥＤは、第１の実装面から第２の実装面に段階的に近づくように配置された実装面において、波長の長いものから短いものへ順次並ぶよう実装されていることを要旨とする。
【００１４】
上記目的を達成するため、本発明の第２のＬＥＤパッケージ装置は、異なる波長のＬＥＤを少なくとも３個以上有するＬＥＤパッケージ装置であって、
上記各ＬＥＤのうち最も波長の長い光を発光する第１のＬＥＤが光照射側から見て最も奥側に実装され、最も波長の短い光を発光する第２のＬＥＤが光照射側から見て最も手前側に実装され、
その他のＬＥＤは、第１のＬＥＤから第２のＬＥＤに向かって、波長の長いものから短いものへ順次並ぶよう実装され、
各ＬＥＤが光照射側から見て相互に重ならないように配置されていることを要旨とする。
【００１５】
上記目的を達成するため、本発明の第３のＬＥＤパッケージ装置は、赤色ＬＥＤ、青色ＬＥＤおよび緑色ＬＥＤを有するＬＥＤパッケージ装置であって、
赤色ＬＥＤ、青色ＬＥＤおよび緑色ＬＥＤは、それぞれＬＥＤの光照射方向に向かう実装面に実装され、
上記赤色ＬＥＤが光照射側から見て最も奥側に配置された第１の実装面に実装され、青色ＬＥＤが光照射側から見て最も手前側に配置された第２の実装面に配置され、
緑色ＬＥＤは、第１の実装面と第２の実装面の間に段階的に配置された第３の実装面に実装されていることを要旨とする。
【００１６】
上記目的を達成するため、本発明の第４のＬＥＤパッケージ装置は、赤色ＬＥＤ、青色ＬＥＤおよび緑色ＬＥＤを有するＬＥＤパッケージ装置であって、
青色ＬＥＤおよび緑色ＬＥＤは、光照射側から見て同じ高さでＬＥＤの光照射方向に向かう実装面上に実装され、
赤色ＬＥＤは、上記実装面とは異なる領域において、その頂部が上記実装面を超えて光照射側から見て手前側に突出しない位置に配置されていることを要旨とする。
【発明の効果】
【００１７】
本発明の第１のＬＥＤパッケージ装置は、
上記各ＬＥＤのうち最も波長の長い光を発光する第１のＬＥＤが光照射側から見て最も奥側に配置された第１の実装面に実装され、最も波長の短い光を発光する第２のＬＥＤが光照射側から見て最も手前側に配置された第２の実装面に実装され、
その他のＬＥＤは、第１の実装面から第２の実装面に段階的に近づくように配置された実装面において、波長の長いものから短いものへ順次並ぶよう実装されている。
このように、各ＬＥＤは、光照射側から見て奥側から手前側に向かって、相対的に波長の長いものから短いものへと順次配置される。このため、光照射側に配置されたＬＥＤから照射された相対的に波長の短い光は、それよりも光照射側から見て奥側に配置されたＬＥＤに吸収されてロスする率が少ない状態で光照射方向に照射され、照射された光のロスが少なくなって輝度を確保するとともに、カラーシフトも防止される。
また、本発明の第１のＬＥＤパッケージ装置は、上記各ＬＥＤは、それぞれＬＥＤの光照射方向に向かう実装面に実装されている。
このため、各実装面に実装された各ＬＥＤは、光照射側から見て相互に重ならないように配置されることとなり、光照射側から見て奥側に配置されたＬＥＤから照射された相対的に波長の長い光は、それよりも光照射側に配置されたＬＥＤに遮られることなく光照射方向に照射され、照射された光のロスが少なくなって、輝度を確保することができる。
【００１８】
本発明の第１のＬＥＤパッケージ装置において、上記第１の実装面から第２の実装面までの各実装面に実装されたＬＥＤのうち、光照射方向で隣り合うＬＥＤにおいて、光照射側からみて奥側の実装面に実装されたＬＥＤの頂部は、それより光照射側に配置されたＬＥＤの実装面を超えて手前側に突出しない場合には、
光照射側に配置されたＬＥＤから照射された相対的に波長の短い光は、それよりも光照射側から見て奥側に配置されたＬＥＤにほとんど当たらなくなるため、各ＬＥＤから照射された光が他のＬＥＤに吸収されてロスする率がより少なく光照射方向に照射されることとなり、照射された光のロスが少なくなって輝度を確保するとともに、カラーシフトも防止される。
【００１９】
本発明の第２のＬＥＤパッケージ装置は、上記各ＬＥＤのうち最も波長の長い光を発光する第１のＬＥＤが光照射側から見て最も奥側に実装され、最も波長の短い光を発光する第２のＬＥＤが光照射側から見て最も手前側に実装され、
その他のＬＥＤは、第１のＬＥＤから第２のＬＥＤに向かって、波長の長いものから短いものへ順次並ぶよう実装され、
各ＬＥＤが光照射側から見て相互に重ならないように配置されている。
このため、各ＬＥＤは、光照射側から見て奥側から手前側に向かって、相対的に波長の長いものから短いものへと順次配置されるため、光照射側に配置されたＬＥＤから照射された相対的に波長の短い光は、それよりも光照射側から見て奥側に配置されたＬＥＤに吸収されてロスする率が少ない状態で光照射方向に照射され、照射された光のロスが少なくなって輝度を確保するとともに、カラーシフトも防止される。また、各ＬＥＤは、光照射側から見て相互に重ならないため、光照射側から見て奥側に配置されたＬＥＤから照射された相対的に波長の長い光は、それよりも光照射側に配置されたＬＥＤに遮られることなく光照射方向に照射され、照射された光のロスが少なくなって、輝度を確保することができる。
【００２０】
本発明の第３のＬＥＤパッケージ装置は、上記赤色ＬＥＤが光照射側から見て最も奥側に配置された第１の実装面に実装され、青色ＬＥＤが光照射側から見て最も手前側に配置された第２の実装面に配置され、
緑色ＬＥＤは、第１の実装面と第２の実装面の間に段階的に配置された第３の実装面に実装されている。
このため、赤色、青色、緑色の各ＬＥＤは、光照射側から見て奥側に赤色、その手前側に緑色、最も手前に青色の順で配置されることとなる。このとき、青の光は緑色ＬＥＤおよび赤色ＬＥＤに吸収され、緑の光は赤色ＬＥＤに吸収されることから、上記の順序に並べることにより、最も光照射側に配置された青色ＬＥＤから照射された光は、それよりも光照射側から見て奥側に配置された赤色ＬＥＤおよび緑色ＬＥＤにほとんど当たらずに吸収されることなく照射され、緑色ＬＥＤから照射された光は、それよりも光照射側から見て奥側に配置された赤色ＬＥＤにほとんど当たらずに吸収されることなく照射される。このように、照射された各光のロスが少なくなって輝度を確保するとともに、カラーシフトも防止される。
また、本発明の第３のＬＥＤパッケージ装置は、赤色ＬＥＤ、青色ＬＥＤおよび緑色ＬＥＤは、それぞれＬＥＤの光照射方向に向かう実装面に実装されている。
このため、各実装面に実装された赤色ＬＥＤ、青色ＬＥＤおよび緑色ＬＥＤは、光照射側から見て相互に重ならないように配置されることとなり、光照射側から見て奥側に配置された赤色ＬＥＤから照射された光は、それよりも光照射側に配置された緑色ＬＥＤおよび青色ＬＥＤに遮られることなく光照射方向に照射され、緑色ＬＥＤから照射された光は、それよりも光照射側に配置された青色ＬＥＤに遮られることなく光照射方向に照射される。このように、照射された光のロスが少なくなって、輝度を確保することができる。
【００２１】
本発明の第３のＬＥＤパッケージ装置において、上記赤色ＬＥＤの頂部は、緑色ＬＥＤが実装された第３の実装面を超えて光照射側から見た手前側に突出せず、
上記緑色ＬＥＤの頂部は、青色ＬＥＤが実装された第２の実装面を超えて光照射側から見た手前側に突出しない場合には、
最も光照射側に配置された青色ＬＥＤから照射された光は、それよりも光照射側から見手奥側に配置された緑色ＬＥＤおよび赤色ＬＥＤにほとんど当たらなくなり、緑色ＬＥＤから照射された光は、それよりも光照射側から見て奥側に配置された赤色ＬＥＤにほとんど当たらなくなる。このため、ＬＥＤから照射された光が他のＬＥＤに吸収されてロスする率がより少なく光照射方向に照射されることとなり、照射された光のロスが少なくなって輝度を確保するとともに、カラーシフトも防止される。
【００２２】
本発明の第４のＬＥＤパッケージ装置は、青色ＬＥＤおよび緑色ＬＥＤは、光照射側から見て同じ高さでＬＥＤの光照射方向に向かう実装面上に実装され、
赤色ＬＥＤは、上記実装面とは異なる領域において、その頂部が上記実装面を超えて光照射側から見て手前側に突出しない位置に配置されている。
このため、赤色、青色、緑色の各ＬＥＤは、光照射側から見て奥側に赤色、その手前側に緑色と青色の順で配置されることとなる。このとき、青の光と緑の光は赤色ＬＥＤに吸収されることから、上記の順序に並べることにより、光照射側に配置された緑色ＬＥＤおよび青色ＬＥＤから照射された光は、それよりも光照射側から見て奥側に配置された赤色ＬＥＤにほとんど吸収されずに光照射方向に照射される。このように、照射された各光のロスが少なくなって輝度を確保するとともに、カラーシフトも防止される。
また、本発明の第４のＬＥＤパッケージ装置は、青色ＬＥＤおよび緑色ＬＥＤは、それぞれＬＥＤの光照射方向に向かう実装面に実装されている。
このため、各実装面に実装された青色ＬＥＤおよび緑色ＬＥＤは、光照射側から見て相互に重ならないように配置されることとなり、相互に遮られることなく光照射方向に照射される。このように、照射された光のロスが少なくなって、輝度を確保することができる。
【図面の簡単な説明】
【００２３】
【図１】本発明の第１実施形態のＬＥＤパッケージ装置を示す図である。
【図２】本発明の第２実施形態のＬＥＤパッケージ装置を示す図である。
【図３】本発明の第３実施形態のＬＥＤパッケージ装置を示す図である。
【図４】本発明の第４実施形態のＬＥＤパッケージ装置を示す図である。
【図５】本発明の第４実施形態のＬＥＤパッケージ装置を示す図である。
【図６】本発明の第４実施形態のＬＥＤパッケージ装置を示す図である。
【発明を実施するための形態】
【００２４】
つぎに、本発明を実施するための最良の形態を説明する。
【００２５】
図１は、本発明の第１実施形態のＬＥＤパッケージ装置を示す図であり、図１（Ａ）は平面図、図１（Ｂ）は同縦断面図である。
【００２６】
この例では、上記ＬＥＤパッケージ装置は、赤色ＬＥＤ２Ｒ、青色ＬＥＤ２Ｂおよび緑色ＬＥＤ２Ｇを有するＬＥＤパッケージ装置であって、赤色ＬＥＤ２Ｒ、青色ＬＥＤ２Ｂおよび緑色ＬＥＤ２Ｇは、それぞれＬＥＤの光照射方向に向かう実装面３Ａ、３Ｂ、３Ｃに実装されている。
【００２７】
より詳しく説明すると、上記ＬＥＤパッケージ装置は、収容部材１に、赤色ＬＥＤ２Ｒ、青色ＬＥＤ２Ｂ、緑色ＬＥＤ２Ｇの３つのＬＥＤ２Ａ、２Ｂ、２Ｃが実装されて構成されている。
【００２８】
上記収容部材１は、この例では平面視においてトラック形状で上面に開放するカップ状に形成されている。そして、上記収容部材１のカップ内において、開放部側を向いて上記ＬＥＤ２Ｒ、２Ｂ、２Ｇがそれぞれ実装される第１〜第３の実装面３Ａ、３Ｂ、３Ｃが設けられている。
上記第１〜第３の実装面３Ａ、３Ｂ、３Ｃにそれぞれ上記各ＬＥＤ２Ｒ、２Ｂ、２Ｇが実装されて光を照射する。すなわち、本実施形態において、上記収容部材１の開放部側（この例では上面側）が光照射側であり、その方向が光照射方向である。
【００２９】
上記第１〜第３の実装面３Ａ、３Ｂ、３Ｃは、第１の実装面３Ａが光照射側から見て最も奥側に配置され、第２の実装面３Ｂが光照射側から見て最も手前側に配置され、第３の実装面３Ｃは、第１の実装面３Ａと第２の実装面３Ｂの間に段階的に配置されている。
断面で見ると、最も低いのが第１の実装面３Ａ、その１段高い位置に第３の実装面３Ｃ、それより１段高い位置に第２の実装面３Ｂが配置されている。
【００３０】
上記第１〜第３の実装面３Ａ、３Ｂ、３Ｃは、この例では、カップ状の収容部材１のカップ内において、段階状に屈曲形成された板材が収容されることにより形成されている。
【００３１】
この例では、第１〜第３の実装面３Ａ〜３Ｃは、トラック状の収容部材１の長手方向に並ぶように配置され、第１の実装面３Ａが中央に配置され、その左右に第２の実装面３Ｂと第３の実装面３Ｃが配置されている。
【００３２】
そして、
赤色ＬＥＤ２Ｒが光照射側から見て最も奥側に配置された第１の実装面３Ａに実装され、
青色ＬＥＤ２Ｂが光照射側から見て最も手前側に配置された第２の実装面３Ｂに配置され、
緑色ＬＥＤ２Ｇは、第１の実装面２Ａと第２の実装面２Ｂの間に段階的に配置された第３の実装面３Ｃに実装されている。
【００３３】
これにより、赤色ＬＥＤ２Ｒ、青色ＬＥＤ２Ｂ、緑色ＬＥＤ２Ｇは、トラック状の収容部材１の長手方向に一列に並ぶように配置され、赤色ＬＥＤ２Ｒが中央に配置され、その左右に青色ＬＥＤ２Ｂおよび緑色ＬＥＤ２Ｇが配置される。
【００３４】
そして、上記赤色ＬＥＤ２Ｒの頂部２Ｒｔは、緑色ＬＥＤ２Ｇが実装された第３の実装面３Ｃを超えて光照射側から見た手前側（図では上側）に突出せず、上記緑色ＬＥＤ２Ｇの頂部２Ｇｔは、青色ＬＥＤ２Ｂが実装された第１の実装面３Ｂを超えて光照射側から見た手前側（図では上側）に突出しないよう寸法関係ならびに配置関係が設定されている。
【００３５】
そして、この例では、上記収容部材１のカップ状の内周面、第１の実装面３Ａと第２の実装面３Ｂを段階状に繋ぐ斜面、第１の実装面３Ａと第３の実装面３Ｃを段階状に繋ぐ斜面、はそれぞれ各ＬＥＤが照射した光を反射する第１〜第３の反射面４Ａ、４Ｂ、４Ｃになっている。
【００３６】
すなわち、
赤色ＬＥＤ２Ｒから照射された光は、主として、第１の実装面３Ａと第２の実装面３Ｂを段階状に繋ぐ斜面からなる第２の反射面４Ｂ、第１の実装面３Ａと第３の実装面３Ｃを段階状に繋ぐ斜面からなる第３の反射面４Ｃ、および収容部材１のカップ状の内周面からなる第１の反射面４Ａによって反射されて光照射方向に向かって照射される。
緑色ＬＥＤ２Ｇから照射された光は、主として、第１の実装面３Ａと第２の実装面３Ｂを段階状に繋ぐ斜面からなる第２の反射面４Ｂ、および収容部材１のカップ状の内周面からなる第１の反射面４Ａによって反射されて光照射方向に向かって照射される。
青色ＬＥＤ２Ｇから照射された光は、主として、収容部材１のカップ状の内周面からなる第１の反射面４Ａによって反射されて光照射方向に向かって照射される。
これにより、各ＬＥＤ２Ｒ、２Ｂ、２Ｇから照射された光は、光照射方向に向かって照射される。
【００３７】
このように、第１実施形態のＬＥＤパッケージ装置は、上記赤色ＬＥＤ２Ｒが光照射側から見て最も奥側に配置された第１の実装面３Ａに実装され、青色ＬＥＤ２Ｂが光照射側から見て最も手前側に配置された第２の実装面３Ｂに配置され、緑色ＬＥＤ２Ｇは、第１の実装面３Ａと第２の実装面３Ｂの間に段階的に配置された第３の実装面３Ｃに実装されている。
このため、赤色、青色、緑色の各ＬＥＤ２Ｒ、２Ｂ、２Ｇは、光照射側から見て奥側に赤色、その手前側に緑色、最も手前に青色の順で配置されることとなる。このとき、青の光は緑色ＬＥＤ２Ｇおよび赤色ＬＥＤ２Ｒに吸収され、緑の光は赤色ＬＥＤ２Ｒに吸収されることから、上記の順序に並べることにより、最も光照射側に配置された青色ＬＥＤ２Ｂから照射された光は、それよりも光照射側から見て奥側に配置された赤色ＬＥＤ２Ｒおよび緑色ＬＥＤ２Ｇにほとんど当たらずに吸収されることなく照射され、緑色ＬＥＤ２Ｇから照射された光は、それよりも光照射側から見て奥側に配置された赤色ＬＥＤ２Ｒにほとんど当たらずに吸収されることなく照射される。このように、照射された各光のロスが少なくなって輝度を確保するとともに、カラーシフトも防止される。
また、第１実施形態のＬＥＤパッケージ装置は、赤色ＬＥＤ２Ｒ、青色ＬＥＤ２Ｂおよび緑色ＬＥＤ２Ｇは、それぞれＬＥＤの光照射方向に向かう実装面３Ａ、３Ｂ、３Ｃに実装されている。
このため、各実装面３Ａ、３Ｂ、３Ｃに実装された赤色ＬＥＤ２Ｒ、青色ＬＥＤ２Ｂおよび緑色ＬＥＤ２Ｇは、光照射側から見て相互に重ならないように配置されることとなり、光照射側から見て奥側に配置された赤色ＬＥＤ２Ｒから照射された光は、それよりも光照射側に配置された緑色ＬＥＤ２Ｇおよび青色ＬＥＤ２Ｂに遮られることなく光照射方向に照射され、緑色ＬＥＤ２Ｇから照射された光は、それよりも光照射側に配置された青色ＬＥＤ２Ｂに遮られることなく光照射方向に照射される。このように、照射された光のロスが少なくなって、輝度を確保することができる。
【００３８】
第１実施形態のＬＥＤパッケージ装置は、上記赤色ＬＥＤ２Ｒの頂部２Ｒｔは、緑色ＬＥＤ２Ｇが実装された第３の実装面３Ｃを超えて光照射側から見た手前側に突出せず、
上記緑色ＬＥＤ２Ｇの頂部２Ｇｔは、青色ＬＥＤ２Ｂが実装された第２の実装面３Ｂを超えて光照射側から見た手前側に突出しないため、
最も光照射側に配置された青色ＬＥＤ２Ｂから照射された光は、それよりも光照射側から見て奥側に配置された赤色ＬＥＤ２Ｒおよび緑色ＬＥＤ２Ｇにほとんど当たらなくなり、緑色ＬＥＤ２Ｇから照射された光は、それよりも光照射側から見て奥側に配置された赤色ＬＥＤ２Ｒにほとんど当たらなくなる。このため、ＬＥＤから照射された光が他のＬＥＤに吸収されてロスする率がより少なく光照射方向に照射されることとなり、照射された光のロスが少なくなって輝度を確保するとともに、カラーシフトも防止される。
【００３９】
図２は、本発明の第２実施形態のＬＥＤパッケージ装置を示す図であり、図２（Ａ）は平面図、図２（Ｂ）は同縦断面図である。
【００４０】
この例は、基本的な考え方および構造は第１実施形態と同様であるが、各ＬＥＤ２Ｒ、２Ｂ、２Ｇが細長い帯状に形成されて長手方向に相互に平行となるように配置されたものである。したがって、収容部材１もそれらを収容する平面視で長方形状のカップ状に形成されている。そして、この例では、第１実施形態においてトラック形状の長手方向であった方向が幅方向となり、第１実施形態においてトラック形状の幅方向であった方向が各ＬＥＤ２Ｒ、２Ｂ、２Ｇおよび収容部材１の幅方向となっている。
【００４１】
それ以外は、上記第１実施形態と同様であり、同様の部分には同じ符号を付している。この第２実施形態でも、上記第１実施形態と同様の作用効果を奏する。
【００４２】
図３は、本発明の第３実施形態のＬＥＤパッケージ装置を示す縦断面図である。
【００４３】
この例は、第１実施形態において、中央に赤色ＬＥＤ２Ｒを配置してその左右に緑色ＬＥＤ２Ｇおよび青色ＬＥＤ２Ｂを配置したところ、赤色ＬＥＤ２Ｒをトラック状の収容部材１の長手方向端部に配置し、その隣に緑色ＬＥＤ２Ｇを配置し、その隣に青色ＬＥＤ２Ｂを配置したものである。
【００４４】
より詳しく説明すると、この例では、第１〜第３の実装面３Ａ〜３Ｃは、トラック状の収容部材１の長手方向に並ぶように配置され、第３の実装面３Ｃが中央に配置され、その左右に第１の実装面３Ａと第２の実装面３Ｂが配置されている。
【００４５】
上記第１〜第３の実装面３Ａ、３Ｂ、３Ｃが、第１の実装面３Ａが光照射側から見て最も奥側に配置され、第２の実装面２Ｂが光照射側から見て最も手前側に配置され、第３の実装面３Ｃは、第１の実装面３Ａと第２の実装面３Ｂの間に段階的に配置されているのは、上記第１実施形態と同様である。
【００４６】
そして、赤色ＬＥＤ２Ｒが光照射側から見て最も奥側に配置された第１の実装面３Ａに実装され、青色ＬＥＤ２Ｂが光照射側から見て最も手前側に配置された第２の実装面３Ｂに配置され、緑色ＬＥＤ２Ｇは、第１の実装面２Ａと第２の実装面２Ｂの間に段階的に配置された第３の実装面３Ｃに実装されているのも第１実施形態と同様である。
【００４７】
この例では、赤色ＬＥＤ２Ｒ、青色ＬＥＤ２Ｂ、緑色ＬＥＤ２Ｇは、トラック状の収容部材１の長手方向に一列に並ぶように配置され、トラック状の端部から赤色ＬＥＤ２Ｒ、緑色ＬＥＤ２Ｇ、青色ＬＥＤ２Ｂと一列に配置されていて、それぞれの第１〜第３の実装面３Ａ、３Ｂ、３Ｃは、低いほうから第１の実装面３Ａ、第２の実装面３Ｂ、第３の実装面３Ｃと階段状に形成されている。
【００４８】
この例では、赤色ＬＥＤ２Ｒから照射された光は、主として、第１の実装面３Ａと第３の実装面３Ｃを段階状に繋ぐ斜面からなる第４の反射面４Ｄ、および収容部材１のカップ状の内周面からなる第１の反射面４Ａによって反射されて光照射方向に向かって照射される。
緑色ＬＥＤ２Ｇから照射された光は、主として、第３の実装面３Ｃと第２の実装面３Ｂを段階状に繋ぐ斜面からなる第５の反射面４Ｅ、および収容部材１のカップ状の内周面からなる第１の反射面４Ａによって反射されて光照射方向に向かって照射される。
青色ＬＥＤ２Ｂから照射された光は、主として、収容部材１のカップ状の内周面からなる第１の反射面４Ａによって反射されて光照射方向に向かって照射される。
これにより、各ＬＥＤ２Ｒ、２Ｂ、２Ｇから照射された光は、光照射方向に向かって照射される。
【００４９】
それ以外は、上記第１実施形態と同様であり、同様の部分には同じ符号を付している。この第３実施形態でも、上記第１〜第２実施形態と同様の作用効果を奏する。
【００５０】
もちろん、上述した第２実施形態において、各ＬＥＤ２Ｒ、２Ｂ、２Ｇおよび第１〜第３の実装面３Ａ、３Ｂ、３Ｃの配置を第３実施形態のように配置することも可能である。
【００５１】
図４は、本発明の第４実施形態のＬＥＤパッケージ装置を示す平面図である。
【００５２】
この例では、第３実施形態において、３つの実装面３Ａ、３Ｂ、３Ｃをトラック形状の収容部材１の長手方向に沿った階段状に形成したところ、収容部材１を円形とし、３つの実装面３Ａ、３Ｂ、３Ｃを螺旋階段状に配置したものである。
【００５３】
より詳しく説明すると、赤色ＬＥＤ２Ｒが実装される第１の実装面３Ａが最も低い位置に、それより一段高い位置に緑色ＬＥＤ２Ｇが実装される第３の実装面３Ｃが配置され、それよりもさらに一段高い位置に青色ＬＥＤ２Ｂが実装される第２の実装面３Ｂが配置されている。これにより、各ＬＥＤ２Ｒ、２Ｂ、２Ｇは、円形の収容部材１の中心の周囲に低いほうから順に赤色ＬＥＤ２Ｒ、緑色ＬＥＤ２Ｇ、青色ＬＥＤ２Ｂが螺旋階段状に配置される。
【００５４】
それ以外は、上記第３実施形態と同様であり、同様の部分には同じ符号を付している。この第４実施形態でも、上記第１〜第３実施形態と同様の作用効果を奏する。
【００５５】
以上の説明では、赤色ＬＥＤ２Ｒ、青色ＬＥＤ２Ｂおよび緑色ＬＥＤ２Ｇの３種類３個のＬＥＤを有するＬＥＤパッケージ装置について説明したが、本発明は、赤、青、緑の３色の組合せ以外に、異なる波長のＬＥＤを少なくとも３個以上有するＬＥＤパッケージ装置であれば適用できる趣旨である。
【００５６】
すなわち、上記各ＬＥＤを、それぞれＬＥＤの光照射方向に向かう実装面に実装し、
上記各ＬＥＤのうち最も波長の長い光を発光する第１のＬＥＤを光照射側から見て最も奥側に配置された第１の実装面に実装し、最も波長の短い光を発光する第２のＬＥＤを光照射側から見て最も手前側に配置された第２の実装面に実装し、
その他のＬＥＤを、第１の実装面から第２の実装面に段階的に近づくように配置された実装面において、波長の長いものから短いものへ順次並ぶよう実装することにより実現できる。
【００５７】
このようにすることにより、各ＬＥＤは、光照射側から見て奥側から手前側に向かって、相対的に波長の長いものから短いものへと順次配置される。このため、光照射側に配置されたＬＥＤから照射された相対的に波長の短い光は、それよりも光照射側から見て奥側に配置されたＬＥＤに吸収されてロスする率が少ない状態で光照射方向に照射され、照射された光のロスが少なくなって輝度を確保するとともに、カラーシフトも防止される。
また、上記各ＬＥＤは、それぞれＬＥＤの光照射方向に向かう実装面に実装されるため、各実装面に実装された各ＬＥＤは、光照射側から見て相互に重ならないように配置されることとなり、光照射側から見て奥側に配置されたＬＥＤから照射された相対的に波長の長い光は、それよりも光照射側に配置されたＬＥＤに遮られることなく光照射方向に照射され、照射された光のロスが少なくなって、輝度を確保することができる。
【００５８】
また、上記第１の実装面から第２の実装面までの各実装面に実装されたＬＥＤのうち、光照射方向で隣り合うＬＥＤにおいて、光照射側からみて奥側の実装面に実装されたＬＥＤの頂部は、それより光照射側に配置されたＬＥＤの実装面を超えて手前側に突出しないように配置するのが好ましい。
このようにすることにより、光照射側に配置されたＬＥＤから照射された相対的に波長の短い光は、それよりも光照射側から見て奥側に配置されたＬＥＤにほとんど当たらなくなるため、各ＬＥＤから照射された光が他のＬＥＤに吸収されてロスする率がより少なく光照射方向に照射されることとなり、照射された光のロスが少なくなって輝度を確保するとともに、カラーシフトも防止される。
【００５９】
以上の説明では、３個以上のＬＥＤをそれぞれ光照射方向に向かう実装面に実装したＬＥＤパッケージ装置について説明したが、必ずしも各ＬＥＤを、光照射方向に向かう実装面に実装しなくともよい趣旨である。
【００６０】
すなわち、上記各ＬＥＤのうち最も波長の長い光を発光する第１のＬＥＤを光照射側から見て最も奥側に実装し、最も波長の短い光を発光する第２のＬＥＤを光照射側から見て最も手前側に実装し、
その他のＬＥＤを、第１のＬＥＤから第２のＬＥＤに向かって、波長の長いものから短いものへ順次並ぶよう実装し、
各ＬＥＤを光照射側から見て相互に重ならないように配置することにより実現することができる。
【００６１】
このようにすることにより、各ＬＥＤは、光照射側から見て奥側から手前側に向かって、相対的に波長の長いものから短いものへと順次配置されるため、光照射側に配置されたＬＥＤから照射された相対的に波長の短い光は、それよりも光照射側から見て奥側に配置されたＬＥＤに吸収されてロスする率が少ない状態で光照射方向に照射され、照射された光のロスが少なくなって輝度を確保するとともに、カラーシフトも防止される。また、各ＬＥＤは、光照射側から見て相互に重ならないため、光照射側から見て奥側に配置されたＬＥＤから照射された相対的に波長の長い光は、それよりも光照射側に配置されたＬＥＤに遮られることなく光照射方向に照射され、照射された光のロスが少なくなって、輝度を確保することができる。
【００６２】
図５は、本発明の第５実施形態を示す図であり、図５（Ａ）は平面図、図５（Ｂ）は同縦断面図である。
【００６３】
上記第１〜第４の実施形態では、３個以上のＬＥＤを光照射方向において段階的に配置したが、この実施形態は、一部のＬＥＤを光照射方向において同じ位置関係で配置したものである。
【００６４】
この例では、赤色ＬＥＤ２Ｒ、青色ＬＥＤ２Ｂおよび緑色ＬＥＤ２Ｇを有するＬＥＤパッケージ装置であって、
青色ＬＥＤ２Ｂおよび緑色ＬＥＤ２Ｇは、光照射側から見て同じ高さでＬＥＤの光照射方向に向かう第２の実装面３Ｂおよび第３の実装面３Ｃ上に実装され、
赤色ＬＥＤ２Ｒは、上記第２の実装面３Ｂおよび第３の実装面３Ｃとは異なる領域において、その頂部２Ｒｔが上記第２の実装面３Ｂおよび第３の実装面３Ｃを超えて光照射側から見て手前側に突出しない位置に配置されている。
【００６５】
より詳しく説明すると、上記収容部材１は、第１実施形態と同様に、平面視においてトラック形状で上面に開放するカップ状に形成されている。そして、上記収容部材１のカップ内において、開放部側を向いて上記ＬＥＤ２Ｒ、２Ｂ、２Ｇがそれぞれ実装される第１〜第３の実装面３Ａ、３Ｂ、３Ｃが設けられている。
上記第１〜第３の実装面３Ａ、３Ｂ、３Ｃにそれぞれ上記各ＬＥＤ２Ｒ、２Ｂ、２Ｇが実装されて光を照射する。すなわち、本実施形態において、上記収容部材１の開放部側（この例では上面側）が光照射側であり、その方向が光照射方向である。
【００６６】
上記第１〜第３の実装面３Ａ、３Ｂ、３Ｃは、第１の実装面３Ａが光照射側から見て最も奥側に配置され、第２の実装面３Ｂと第３の実装面３Ｃは、それよりも光照射側から見て最も手前側において同じ高さ位置の関係に配置されている。
【００６７】
この例では、第１の実装面３Ａ〜３Ｃは、トラック状の収容部材１の長手方向に並ぶように配置され、第１の実装面３Ａが中央に配置され、その左右に第２の実装面３Ｂと第３の実装面３Ｃが配置されている。
【００６８】
これにより、赤色ＬＥＤ２Ｒが光照射側から見て最も奥側に配置された第１の実装面３Ａに実装され、青色ＬＥＤ２Ｂおよび緑色ＬＥＤ２Ｇが、それぞれ光照射側から見て手前側に配置された第２の実装面３Ｂおよび第３の実装面３Ｃに実装されている。
【００６９】
これにより、赤色ＬＥＤ２Ｒ、青色ＬＥＤ２Ｂ、緑色ＬＥＤ２Ｇは、トラック状の収容部材１の長手方向に一列に並ぶように配置され、赤色ＬＥＤ２Ｒが中央に配置され、その左右に青色ＬＥＤ２Ｂおよび緑色ＬＥＤ２Ｇが配置される。
【００７０】
そして、この例では、
赤色ＬＥＤ２Ｒから照射された光は、主として、第１の実装面３Ａと第２および第３の実装面３Ｂ、３Ｃを段階状に繋ぐ斜面からなる第６の反射面４Ｆ、および収容部材１のカップ状の内周面からなる第１の反射面４Ａによって反射されて光照射方向に向かって照射される。
青色ＬＥＤ２Ｂおよび緑色ＬＥＤ２Ｇから照射された光は、主として、収容部材１のカップ状の内周面からなる第１の反射面４Ａによって反射されて光照射方向に向かって照射される。
これにより、各ＬＥＤ２Ｒ、２Ｂ、２Ｇから照射された光は、光照射方向に向かって照射される。
【００７１】
第５実施形態のＬＥＤパッケージ装置は、赤色、青色、緑色の各ＬＥＤは、光照射側から見て奥側に赤色、その手前側に緑色と青色の順で配置されることとなる。このとき、青の光と緑の光は赤色ＬＥＤ２Ｒに吸収されることから、上記の順序に並べることにより、光照射側に配置された緑色ＬＥＤ２Ｇおよび青色ＬＥＤ２Ｂから照射された光は、それよりも光照射側から見て奥側に配置された赤色ＬＥＤ２Ｒにほとんど吸収されずに光照射方向に照射される。
このように、照射された各光のロスが少なくなって輝度を確保するとともに、カラーシフトも防止される。
また、第２および第３の実装面３Ｂ、３Ｃに実装された青色ＬＥＤ２Ｂおよび緑色ＬＥＤ２Ｇは、光照射側から見て相互に重ならないように配置されることとなり、相互に遮られることなく光照射方向に照射される。このように、照射された光のロスが少なくなって、輝度を確保することができる。
【００７２】
それ以外は、上記第１実施形態と同様であり、同様の部分には同じ符号を付している。この第５実施形態でも、上記第１〜第４実施形態と同様の作用効果を奏する。
【００７３】
図６は、本発明の第６実施形態を示す縦断面図である。
【００７４】
この例は、第５実施形態において、中央に赤色ＬＥＤ２Ｒを配置してその左右に緑色ＬＥＤ２Ｇおよび青色ＬＥＤ２Ｂを配置したところ、赤色ＬＥＤ２Ｒをトラック状の収容部材１の長手方向端部において第１の実装面３Ａに実装して配置し、その隣に配置した広い面積の第４の実装面３Ｄに緑色ＬＥＤ２Ｇおよび青色ＬＥＤ２Ｂを並べて配置したものである。
【００７５】
より詳しく説明すると、この例では、第１の実装面３Ａが光照射側から見て最も奥側に配置され、第４の実装面３Ｄが光照射側から見て最も手前側になるよう段階的に配置されている。
そして、赤色ＬＥＤ２Ｒが光照射側から見て最も奥側に配置された第１の実装面３Ａに実装され、青色ＬＥＤ２Ｂと緑色ＬＥＤ２Ｇが光照射側から見て手前側に配置された第４の実装面３Ｄ上に実装されて配置されている。
【００７６】
この例では、赤色ＬＥＤ２Ｒから照射された光は、主として、第１の実装面３Ａと第４の実装面３Ｄを段階状に繋ぐ斜面からなる第７の反射面４Ｇ、および収容部材１のカップ状の内周面からなる第１の反射面４Ａによって反射されて光照射方向に向かって照射される。
緑色ＬＥＤ２Ｇおよび青色ＬＥＤ２Ｂから照射された光は、主として、収容部材１のカップ状の内周面からなる第１の反射面４Ａによって反射されて光照射方向に向かって照射される。
これにより、各ＬＥＤ２Ｒ、２Ｂ、２Ｇから照射された光は、光照射方向に向かって照射される。
【００７７】
それ以外は、上記第５実施形態と同様であり、同様の部分には同じ符号を付している。この第６実施形態でも、上記第１〜第５実施形態と同様の作用効果を奏する。
【符号の説明】
【００７８】
１：収容部材
２Ｒ：赤色ＬＥＤ（第１のＬＥＤ）
２Ｂ：青色ＬＥＤ（第２のＬＥＤ）
２Ｇ：緑色ＬＥＤ（第３のＬＥＤ）
２Ｒｔ：頂部
２Ｂｔ：頂部
２Ｇｔ：頂部
３Ａ：第１の実装面
３Ｂ：第２の実装面
３Ｃ：第３の実装面
３Ｄ：第４の実装面
４Ａ：第１の反射面
４Ｂ：第２の反射面
４Ｃ：第３の反射面
４Ｄ：第４の反射面
４Ｅ：第５の反射面
４Ｆ：第６の反射面
４Ｇ：第７の反射面
【図１】
2012023188.tif 000003
【図２】
2012023188.tif 000004
【図３】
2012023188.tif 000005
【図４】
2012023188.tif 000006
【図５】
2012023188.tif 000007
【図６】
2012023188.tif 000008